(57)【要約】【課題】使用によって古くなった既存の消雪ノズルの水量調節部および散水孔付き散水口部を補修するために用いる新規の補修用ノズル装置を提供する。【解決手段】補修用ノズル本体の下部に設けられた接続用管状ネジ部と、内部に設けられた水量調節部と、上部に設けられた散水孔付き散水口部とを備えた既存消雪ノズルの補修用ノズル装置であって、補修用ノズル本体は、接続用管状ネジ部の上端に連続して設けられたパイプ状部と、当該パイプ状部の周りに形成された上面開放の環状凹部とにより構成され、この環状凹部の内周壁の内面および外周壁の内面は水の流れによどみの生じない断面形状とされ、且つパイプ状部と環状凹部との間に存する内周壁には、環状凹部の下端で開放する水量調整用連通孔が設けられ、また散水孔付き散水口部は、散水孔の内端が上記環状凹部の上面開放口に連通した状態とされて成るものである。【選択図】        図１
2004197461.tif 000002
【特許請求の範囲】
【請求項１】
導水管から受けた水が水量調節部で調節されてから散水口部を介して路面に散水されるように構成された既存消雪ノズルの補修用ノズル装置に関し、水が通過する部分の周壁面が水の流れによどみの生じない断面形状に形成されたことを特徴とする既存消雪ノズルの補修用ノズル装置。
【請求項２】
補修用ノズル本体の下部に設けられた接続用管状ネジ部と、内部に設けられた水量調節部と、上部に設けられた散水孔付き散水口部とを備えた既存消雪ノズルの補修用ノズル装置であって、補修用ノズル本体は、接続用管状ネジ部の上端に連続して設けられたパイプ状部と、当該パイプ状部の周りに形成された上面開放の環状凹部とにより構成され、この環状凹部の内周壁の内面および外周壁の内面は水の流れによどみの生じない断面形状とされ、且つパイプ状部と環状凹部との間に存する内周壁には、環状凹部の下端で開放する水量調整用連通孔が設けられ、また散水孔付き散水口部は、散水孔の内端が上記環状凹部の上面開放口に連通した状態とされて成ることを特徴とする既存消雪ノズルの補修用ノズル装置。
【請求項３】
上記補修用ノズル本体における上端部の外周面に、既存消雪ノズルに切削された補修用凹所に嵌着されたときに、当該補修用凹所の開口部の内周面に圧接して封止状態を形成しうるＯリングが設けられて成ることを特徴とする請求項２記載の既存消雪ノズルの補修用ノズル装置。
【発明の詳細な説明】
【発明が属する技術分野】
【０００１】
本発明は、舗装道路、歩道等の舗装面に埋設されている、使用によって古くなった、既存の消雪ノズルの水量調節部および散水孔付き散水口部を補修するために用いる補修用ノズル装置に関する。
【０００２】
【従来の技術】
従来知られているこの種の補修用ノズル装置は、導水管から受けた水が水量調節部で調節されてから散水口部を介して路面に散水するように構成されていたが、その水の流れに所謂よどみが生じて発錆を起し易いという問題があった（特許文献１参照）。
【０００３】
【特許文献１】
特開平７−１５５６４７号公報
【０００４】
そこで本発明は、上記の問題点を解消できるように工夫した新規の既存消雪ノズルの補修用ノズル装置を提供することを目的とする。
【０００５】
【課題を解決するための手段】
上記目的を達成するために請求項１に係る既存消雪ノズルの補修用ノズル装置は、導水管から受けた水が水量調節部で調節されてから散水口部を介して路面に散水されるように構成された既存消雪ノズルの補修用ノズル装置に関し、水が通過する部分の周壁面が水の流れによどみの生じない断面形状に形成されたことを特徴とするものである。
【０００６】
また、請求項２に係る既存消雪ノズルの補修用ノズル装置は、補修用ノズル本体の下部に設けられた接続用管状ネジ部と、内部に設けられた水量調節部と、上部に設けられた散水孔付き散水口部とを備えた既存消雪ノズルの補修用ノズル装置であって、補修用ノズル本体は、接続用管状ネジ部の上端に連続して設けられたパイプ状部と、当該パイプ状部の周りに形成された上面開放の環状凹部とにより構成され、この環状凹部の内周壁の内面および外周壁の内面は水の流れによどみの生じない断面形状に形成され、且つパイプ状部と環状凹部との間に存する内周壁には、環状凹部の下端に開放する水量調整用連通孔が設けられ、また散水孔付き散水口部は、散水孔の内端が上記環状凹部の上面開放口に連通した状態とされて成るものである。
【０００７】
そして、請求項３に係る既存消雪ノズルの補修用ノズル装置は、補修用ノズル本体における上端部の外周面に、既存消雪ノズルに切削された補修用凹所に嵌着されたときに、当該補修用凹所の開口部の内周面に接して封止状態を形成しうるＯリングが設けられて成るものである。
【０００８】
【発明の実施の形態】
本発明に係る既存消雪ノズルの補修用ノズル装置の第１実施例を図１〜図６に依拠して説明する。
【０００９】
この補修用ノズル装置は、補修用ノズル本体１の下端に設けられた接続用管状ネジ部２と、内部に設けられた水量調節部３と、上部に設けられた散水孔４付き散水口部５とを備えているものであって、導水管９から受けた水が水量調節部３で調節されてから散水口部５を介して路面６に散水されるように構成されたものである。
【００１０】
補修用ノズル本体１は、接続用管状ネジ部２の上端に連続して設けられたパイプ状部１０と、当該パイプ状部１０の周りに形成された上面開放の環状凹部１１とで構成され、この環状凹部１１の内周壁内面１２および外周壁内面１３は、その断面形状が水の流れによどみの生じない劣弧の断面形状に形成されている。
【００１１】
接続用管状ネジ部２は、螺着用ネジ１４が設けられている。この螺着用ネジ１４は、相手側が雌型ネジの場合には雄型とされ（図１参照）、雄型ネジの場合には雌型とされる（図７および図８参照）。
【００１２】
水量調節部３は、上記パイプ状１０と環状凹部１１間の壁面に水量調整用連通孔１５が設けられ、さらにパイプ状部１０における内周面の上半分には雌ネジ１６が設けられ、この雌ネジ１６にねじ回し操作によって昇降動作する水量調整コマ１７が螺合されているものである。なお、図中符号１８は、防振ゴム製蓋である。
【００１３】
散水口部５は、上記環状凹部１１の内周開口縁部上面と補修用ノズル本体１の上面外周縁とに内・外周突条縁２０、２１が一体に設けられることで形成された口部材嵌着凹部２３が設けられ、この口部材嵌着凹部２３に次に述べるような散水口構成部材２４が嵌着固定されているものである。
【００１４】
散水口構成部材２４は、内側リング部２５と外側リング部２６とにより形成され、そして内側リング部２５の外周面と外側リング部２６の内周面は、上方に向うに従って徐々に径が大きくなるテーパー面２７，２８で接するように形成されている。そして、内側リング部２５はその内周面と上記口部材嵌着凹部２３の内周面に刻設された雌雄ネジ２９，３０により螺着され、また外側リング部２６はその外周面および下面が外周突条縁２１および口部材嵌着凹部２３の底面にＯリング３１を介して密着されている。
【００１５】
上記内側リング部２５の外周面には、幅広で浅い散水口形成溝３２が四方配置で凹設され、その下端が上記環状凹部１１に向って開放し、同じく上端が外方に向って開放されている。
【００１６】
本発明に係る補修用ノズルは、図１および図２に示すように例えば、道路に埋設された既存の消雪ノズル３４の上面を切削することで不良部分を除去したのち、この除去個所（図示せず）に本発明に係る補修用ノズルを装填する大きい補修用凹所３５および同散水ノズルを螺着固定する雄ネジ３６を設け、次いで、これ等補修用凹所３５、雄ネジ３６を利用して本発明に係る補修用ノズルを既存の消雪ノズル３４にセットし、工事を完了する等の用法に供すればよい。
【００１７】
なお、図中３３はＯリングを示しているものである。このＯリングは、既存消雪ノズル３４に切削された補修用凹所３５に嵌着されたときに、当該補修用凹所３５の開口部の内周面に接して封止状態を形成し、そして、補修用凹所３５内に外部から浸入する水分で錆が発生する等のことを防止するもので、耐用性をアップする働きをするようにされたものである。
【００１８】
また、図７に示す第２実施例は、接続管４１および補強管４２を利用した嵩上げ補修工法すなわち、旧路面３８の上に路面舗装材料３９を重ねて新路面４０を形成する工法に採用できるようにしたものである。この第２実施例は、上記の第１実施例とほぼ同様の構成になっているので、同じ部位に同一の符号を付してその詳細な説明は省略する。この第２実施例は、施工後に、既存の部分が路面に露呈しないように仕上げたい場合に好適なものである。
【００１９】
さらに、本発明に係る既存消雪ノズルの補修用ノズル装置は、図８に示すように、導水管９に直に接続して新路面に埋設した状態として使用することも可能であって、極めて重宝なものである。
【００２０】
本発明は、通常、金属部分はステンレスで構成する。
【００２１】
【発明の効果】
本発明によれば、既存のコンクリート路面を毀さずに、埋設されている既存の消雪ノズルを発錆しにくい状態に、簡単且つ容易に補修（交換）することができる。
【図面の簡単な説明】
【図１】本発明の実施例を使用例で示す一部切截側面図である。
【図２】同じく平面図である。
【図３】内側リングを示す一部切截断面図である。
【図４】同じく平面図である。
【図５】外側リングを示す一部切截断面図である。
【図６】同じく平面図である。
【図７】第２実施例を使用例で示す一部切截断面図である。
【図８】本発明の他の使用例で示す一部切截断面図である。
【符号の説明】
１  補修用ノズル本体
２  接続用管状ネジ部
３  水量調節部
４  散水孔
５  散水口部
６  路面
９  導水管
１０  パイプ状部
１１  環状凹部
１２  内周壁内面
１３  外周壁内面
１４  螺着用ネジ
１５  水量調整用連通孔
１６  雌ネジ
１７  水量調整コマ
１８  防振ゴム製蓋
２０内周突条縁
２１  外周突条縁
２３  口部材嵌着凹部
２４  散水口構成部材
２５  内側リング部
２６  外側リング部
２７  テーパー面
２８  テーパー面
２９  雌雄ネジ
３０  雌雄ネジ
３１  Ｏリング
３２  散水口形成溝
３３  Ｏリング
３４  消雪ノズル
３５  補修用凹所
３６  雄ネジ
３８  雄ネジ
３９  路面舗装材料
４０新路面
４１  接続管
４２  補強管
【図１】
2004197461.tif 000003
【図２】
2004197461.tif 000004
【図３】
2004197461.tif 000005
【図４】
2004197461.tif 000006
【図５】
2004197461.tif 000007
【図６】
2004197461.tif 000008
【図７】
2004197461.tif 000009
【図８】
2004197461.tif 000010